【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
回転駆動される像担持体と、
前記像担持体に形成された静電潜像を現像する現像部材と、
前記像担持体に当接し、記録材又は中間転写体に対する現像剤像転写後の前記像担持体上の残留現像剤を回収するクリーニングブレードと、
を有し、記録材に画像形成を行う画像形成装置であって、
画像形成していないときに、前記像担持体を回転させて停止させる回転停止動作を間欠的に複数回、行わせる制御を実行可能な制御手段を有する画像形成装置において、
前記像担持体と前記現像部材と前記クリーニングブレードとを有する画像形成部の使用度合を検出する使用度合検出手段を有し、
前記制御手段は、
前記回転停止動作を行う回数を、前記使用度合検出手段により検出された使用度合の大きさに基づいて変更可能であり、
前記使用度合検出手段により検出された使用度合の大きさが閾値未満となる場合、前記使用度合検出手段により検出された使用度合の大きさが閾値以上となる場合よりも前記回数が少なくなるように変更可能であることを特徴とする画像形成装置。
【請求項２】
回転駆動される像担持体と、
前記像担持体に形成された静電潜像を現像する現像部材と、
前記像担持体に当接し、記録材又は中間転写体に対する現像剤像転写後の前記像担持体上の残留現像剤を回収するクリーニングブレードと、
を有し、記録材に画像形成を行う画像形成装置であって、
画像形成していないときに、前記像担持体を回転させて停止させる回転停止動作を間欠的に複数回、行わせる制御を実行可能な制御手段を有する画像形成装置において、
前記像担持体と前記現像部材と前記クリーニングブレードとを有する画像形成部の使用度合を検出する使用度合検出手段を有し、
前記画像形成部が複数設けられ、
前記制御手段は、
複数の前記像担持体に対して前記回転停止動作が行われる回数を、
各像担持体が設けられている画像形成部に対して前記使用度合検出手段により検出された使用度合の大きさに基づいて変更可能であり、
複数の前記画像形成部のなかで、前記使用度合検出手段により検出された使用度合の大きさが閾値未満となる画像形成部の数が多いほど、前記回数が少なくなるように変更可能であることを特徴とする画像形成装置。
【請求項３】
回転駆動される像担持体と、
前記像担持体に形成された静電潜像を現像する現像部材と、
前記像担持体に当接し、記録材又は中間転写体に対する現像剤像転写後の前記像担持体上の残留現像剤を回収するクリーニングブレードと、
を有し、記録材に画像形成を行う画像形成装置であって、
画像形成していないときに、前記像担持体を回転させて停止させる回転停止動作を間欠的に複数回、行わせる制御を実行可能な制御手段を有する画像形成装置において、
前記像担持体と前記現像部材と前記クリーニングブレードとを有する画像形成部の使用度合を検出する使用度合検出手段を有し、
前記画像形成部が複数設けられ、
移動する記録材又は中間転写体に対して複数の前記画像形成部で順次、現像剤像が転写され、
前記制御手段は、
複数の前記像担持体それぞれに対して前記回転停止動作が行われる回数を、
像担持体が設けられている画像形成部に対して前記使用度合検出手段により検出された使用度合の大きさ、及び、該画像形成部よりも記録材又は中間転写体の移動方向の上流側の画像形成部に対して前記使用度合検出手段により検出された使用度合の大きさに基づいて、変更可能であり、
像担持体が設けられている画像形成部、及び、該画像形成部よりも記録材又は中間転写体の移動方向の上流側の画像形成部のなかで、前記使用度合検出手段により検出された使用度合の大きさが閾値未満となる画像形成部の数が多いほど、前記回数が少なくなるように変更可能であることを特徴とする画像形成装置。
【請求項４】
前記使用度合検出手段は、前記画像形成部の使用度合として前記現像部材の使用度合を検出することを特徴とする請求項１乃至３のいずれか１項に記載の画像形成装置。
【請求項５】
前記回転停止動作において、前記像担持体が回転する方向は画像形成時と同じ方向であることを特徴とする請求項１乃至４のいずれか１項に記載の画像形成装置。
【請求項６】
前記クリーニングブレードは、前記像担持体の回転方向に対してカウンタ方向に前記像担持体に当接することを特徴とする請求項１乃至５のいずれか１項に記載の画像形成装置。
【請求項７】
前記回転停止動作を、画像形成後に前記像担持体の回転を一旦停止させた後で行うことを特徴とする請求項１乃至６のいずれか１項に記載の画像形成装置。
【手続補正２】
【補正対象書類名】明細書
【補正対象項目名】０００５
【補正方法】変更
【補正の内容】
【０００５】
上記目的を達成するために本発明にあっては、
回転駆動される像担持体と、
前記像担持体に形成された静電潜像を現像する現像部材と、
前記像担持体に当接し、記録材又は中間転写体に対する現像剤像転写後の前記像担持体
上の残留現像剤を回収するクリーニングブレードと、
を有し、記録材に画像形成を行う画像形成装置であって、
画像形成していないときに、前記像担持体を回転させて停止させる回転停止動作を間欠的に複数回、行わせる制御を実行可能な制御手段を有する画像形成装置において、
前記像担持体と前記現像部材と前記クリーニングブレードとを有する画像形成部の使用度合を検出する使用度合検出手段を有し、
前記制御手段は、
前記回転停止動作を行う回数を、前記使用度合検出手段により検出された使用度合の大きさに基づいて変更可能であり、
前記使用度合検出手段により検出された使用度合の大きさが閾値未満となる場合、前記使用度合検出手段により検出された使用度合の大きさが閾値以上となる場合よりも前記回数が少なくなるように変更可能であることを特徴とする。
【手続補正３】
【補正対象書類名】明細書
【補正対象項目名】０００６
【補正方法】変更
【補正の内容】
【０００６】
回転駆動される像担持体と、
前記像担持体に形成された静電潜像を現像する現像部材と、
前記像担持体に当接し、記録材又は中間転写体に対する現像剤像転写後の前記像担持体上の残留現像剤を回収するクリーニングブレードと、
を有し、記録材に画像形成を行う画像形成装置であって、
画像形成していないときに、前記像担持体を回転させて停止させる回転停止動作を間欠的に複数回、行わせる制御を実行可能な制御手段を有する画像形成装置において、
前記像担持体と前記現像部材と前記クリーニングブレードとを有する画像形成部の使用度合を検出する使用度合検出手段を有し、
前記画像形成部が複数設けられ、
前記制御手段は、
複数の前記像担持体に対して前記回転停止動作が行われる回数を、
各像担持体が設けられている画像形成部に対して前記使用度合検出手段により検出された使用度合の大きさに基づいて変更可能であり、
複数の前記画像形成部のなかで、前記使用度合検出手段により検出された使用度合の大きさが閾値未満となる画像形成部の数が多いほど、前記回数が少なくなるように変更可能であることを特徴とする。
【手続補正４】
【補正対象書類名】明細書
【補正対象項目名】０００７
【補正方法】変更
【補正の内容】
【０００７】
回転駆動される像担持体と、
前記像担持体に形成された静電潜像を現像する現像部材と、
前記像担持体に当接し、記録材又は中間転写体に対する現像剤像転写後の前記像担持体上の残留現像剤を回収するクリーニングブレードと、
を有し、記録材に画像形成を行う画像形成装置であって、
画像形成していないときに、前記像担持体を回転させて停止させる回転停止動作を間欠的に複数回、行わせる制御を実行可能な制御手段を有する画像形成装置において、
前記像担持体と前記現像部材と前記クリーニングブレードとを有する画像形成部の使用度合を検出する使用度合検出手段を有し、
前記画像形成部が複数設けられ、
移動する記録材又は中間転写体に対して複数の前記画像形成部で順次、現像剤像が転写され、
前記制御手段は、
複数の前記像担持体それぞれに対して前記回転停止動作が行われる回数を、
像担持体が設けられている画像形成部に対して前記使用度合検出手段により検出された使用度合の大きさ、及び、該画像形成部よりも記録材又は中間転写体の移動方向の上流側の画像形成部に対して前記使用度合検出手段により検出された使用度合の大きさに基づいて、変更可能であり、
像担持体が設けられている画像形成部、及び、該画像形成部よりも記録材又は中間転写体の移動方向の上流側の画像形成部のなかで、前記使用度合検出手段により検出された使用度合の大きさが閾値未満となる画像形成部の数が多いほど、前記回数が少なくなるように変更可能であることを特徴とする。